(57)【特許請求の範囲】
【請求項１】
浴槽内に気泡を含む浴水を噴射するジェットバスシステムにおいて、
酸素ハイドレート２２に熱を加えて分解することにより水と酸素とを生成するハイドレート分解装置２６と、
前記浴槽内から取り込んだ浴水と前記ハイドレート分解装置により生成された酸素と周囲から取り込んだ空気とを混合して該浴水の酸素濃度を調整した気泡水を生成し、該気泡水を前記浴槽内に噴射する気泡水噴射機構と、を備え、
前記ハイドレート分解装置は、前記酸素ハイドレートを収容する分解槽１０と、該分解槽内に水を供給することにより前記酸素ハイドレートを分解させて水と酸素とに分離させる散水管１３と、該分解槽内に貯まった前記水を分解槽外へ汲み出すポンプ１５と、前記分解槽内に貯まった前記酸素を取り出す酸素取出管１７と、を備えていることを特徴とするジェットバスシステム。
【請求項２】
請求項１に記載のジェットバスシステムにおいて、
前記ハイドレート分解装置２６により生成された水及び酸素を浴槽内、浴室内、前記浴槽に設けられた吸水口３１と吐出口３３との間に位置する追い焚き循環路内の少なくとも何れか一つに供給してこれらを洗浄する構成を備え、
前記気泡水噴射機構は、前記ハイドレート分解装置２６から汲み出された水を前記追い焚き循環路に供給する水供給管３７と、前記ハイドレート分解装置から取り出された酸素を前記追い焚き循環路に供給する酸素供給管２８と、該酸素供給管内に周囲の空気を取り込むエゼクター２９と、前記吸水口３１から前記追い焚き循環路内に浴水を吸引することにより該浴水に前記水及び前記酸素を混合した気泡水を前記吐出口３３から吐出させる循環用ポンプ３４と、を少なくとも備えており、
前記循環用ポンプ３４により、前記気泡水を、前記追い焚き循環路、前記吐出口、前記浴槽、前記吸水口の順序で循環させることにより前記洗浄を行うことを特徴とするジェットバスシステム。
【請求項３】
浴槽内に気泡を含む浴水を噴射するジェットバスシステムにおいて、
炭酸ハイドレート４２に熱を加えて分解することにより炭酸水と炭酸ガスとを生成するハイドレート分解装置４５と、
前記浴槽内から取り込んだ浴水と前記ハイドレート分解装置により生成された炭酸水と周囲から取り込んだ空気とを混合して該浴水の炭酸ガス濃度を調整した気泡水を生成し、該気泡水を前記浴槽内に噴射する気泡水噴射機構と、を備え、
前記ハイドレート分解装置４５は、前記炭酸ハイドレートを収容する分解槽１０と、該分解槽内に水を供給することにより前記炭酸ハイドレートを分解させて水と炭酸ガスとに分離させる散水管１３と、該分解槽内に貯まった前記水を分解槽外へ汲み出すポンプ１５と、前記分解槽内に貯まった前記炭酸ガスを取り出す炭酸ガス取出管１７と、を備えていることを特徴とするジェットバスシステム。
【請求項４】
請求項３に記載のジェットバスシステムにおいて、
前記ハイドレート分解装置４５により生成された炭酸水を浴槽７内、浴室内、前記浴槽に設けられた吸水口４９と吐出口５１との間に位置する追い焚き循環路内の少なくとも何れか一つに供給してこれらを洗浄する構成を備え、
前記気泡水噴射機構は、前記ハイドレート分解装置４５から汲み出された炭酸水を前記追い焚き循環路に供給する炭酸水供給管４７と、該炭酸水供給管内に周囲の空気を取り込むエゼクター２９と、前記吸水口４９から前記追い焚き循環路内に浴水を吸引することにより該浴水に前記炭酸水を混合した気泡水を前記吐出口５１から吐出させる循環用ポンプ５２と、を少なくとも備えており、
前記循環用ポンプ５２により、前記気泡水を、前記追い焚き循環路、前記吐出口、前記浴槽、前記吸水口の順序で循環させることにより前記洗浄を行うことを特徴とするジェットバスシステム。
【発明の詳細な説明】
【技術分野】
【０００１】
本発明は、浴槽などで使用されるジェットバスシステムの改良に関し、特に酸素ハイドレートなどのハイドレートを分解する際に発生する気体を使用して浴水中に気泡を発生させることにより入浴者の健康増進を図ることができるジェットバスシステムに関する。
【背景技術】
【０００２】
近年、健康志向の高まりから銭湯、温泉、家庭等の浴槽にジェットバスシステムを設け、浴槽内から吸い込んだ浴水と大気中の空気とを混合させて浴槽内に噴射することにより入浴時の快適性を高める提案が種々なされている。
【０００３】
また、最近のジェットバスシステムでは、浴槽内から吸い込んだ浴水と大気中の空気とを混合させて浴槽内に供給することによりマッサージ効果を期待するだけに止まらず、健康を高める効果がある酸素等の気体を浴室内に供給する装置、例えば酸素供給装置、酸素富化装置などを別途設ける構成が提案されている（特許文献１乃至３）。適度な濃度の酸素を含んだ空気、例えば酸素含有量が２０〜３５％程度の高濃度酸素含有空気を適量吸入することは、疲労やストレスに伴う精神的、肉体的疲労を緩和したり、血行をよくする上で有効であることが知られているが、入浴時におけるリラックスした状態において酸素を吸入することにより健康増進上の効果は更に高まる。
【特許文献１】特開２００５−１４３９５５公報
【特許文献２】特開２００５−３１９００３公報
【特許文献３】特開２００５−３２８９４３公報
【発明の開示】
【発明が解決しようとする課題】
【０００４】
しかしながら、従来の酸素供給装置、酸素富化装置は、装置の価格と、使用する酸素の購入価格が非常に高価であり、安価に酸素を供給できる装置の開発が強く望まれていた。
本発明は上記従来の事情に鑑みてなされたものであり、酸素供給装置、酸素富化装置などの設備費、及びランニングコストが高価な設備を用いることなく浴室設備全体のコストを低く抑えながら、浴槽内に酸素等の有用な気体、或いは酸素等を含んだ浴水を噴射し、入浴者の疲労回復、血行促進を実現することができるジェットバスシステムを提供することを目的としている。
【０００５】
また、酸素発生装置などの高価な設備を用いることなく浴室設備全体のコスト、及び酸素の購入に伴うランニングコストを低く抑えながら、浴槽内に酸素を含んだ浴水を噴射して入浴者の疲労回復、血行促進を実現するとともに、高い圧力を持つ水を使用して浴槽内、浴室内、浴水循環路内などを洗浄することができるジェットバスシステムを提供することを目的としている。
【０００６】
また、高価な設備を用いることなく浴室設備全体のコストやランニングコストを低く抑えながら、浴槽内に炭酸ガスを含んだ浴水を噴射させて、入浴者の疲労回復、血行促進を実現することができるジェットバスシステムを提供することを目的としている。
【課題を解決するための手段】
【０００７】
上記の目的を達成するために、本発明に係るジェットバスシステムは、浴槽内に気泡を含む浴水を噴射するジェットバスシステムにおいて、酸素ハイドレートに熱を加えて分解することにより水と酸素とを生成するハイドレート分解装置と、前記浴槽内から取り込んだ浴水と前記ハイドレート分解装置により生成された酸素と周囲から取り込んだ空気とを混合して該浴水の酸素濃度を調整した気泡水を生成し、該気泡水を前記浴槽内に噴射する気泡水噴射機構と、を備え、前記ハイドレート分解装置は、前記酸素ハイドレートを収容する分解槽と、該分解槽内に水を供給することにより前記酸素ハイドレートを分解させて水と酸素とに分離させる散水管と、該分解槽内に貯まった前記水を分解槽外へ汲み出すポンプと、前記分解槽内に貯まった前記酸素を取り出す酸素取出管と、を備えていることを特徴とする。
【０００８】
また、本発明は、前記ジェットバスシステムにおいて、前記ハイドレート分解装置により生成された水及び酸素を浴槽内、浴室内、前記浴槽に設けられた吸水口と吐出口との間に位置する追い焚き循環路内の少なくとも何れか一つに供給してこれらを洗浄する構成を備え、前記気泡水噴射機構は、前記ハイドレート分解装置から汲み出された水を前記追い焚き循環路に供給する水供給管と、前記ハイドレート分解装置から取り出された酸素を前記追い焚き循環路に供給する酸素供給管と、該酸素供給管内に周囲の空気を取り込むエゼクターと、前記吸水口から前記追い焚き循環路内に浴水を吸引することにより該浴水に前記水及び前記酸素を混合した気泡水を前記吐出口から吐出させる循環用ポンプと、を少なくとも備えており、前記循環用ポンプにより、前記気泡水を、前記追い焚き循環路、前記吐出口、前記浴槽、前記吸水口の順序で循環させることにより前記洗浄を行うことを特徴とする。
【０００９】
また、本発明は、浴槽内に気泡を含む浴水を噴射するジェットバスシステムにおいて、  炭酸ハイドレートに熱を加えて分解することにより炭酸水と炭酸ガスとを生成するハイドレート分解装置と、前記浴槽内から取り込んだ浴水と前記ハイドレート分解装置により生成された炭酸水と周囲から取り込んだ空気とを混合して該浴水の炭酸ガス濃度を調整した気泡水を生成し、該気泡水を前記浴槽内に噴射する気泡水噴射機構と、を備え、前記ハイドレート分解装置は、前記炭酸ハイドレートを収容する分解槽と、該分解槽内に水を供給することにより前記炭酸ハイドレートを分解させて水と炭酸ガスとに分離させる散水管と、該分解槽内に貯まった前記水を分解槽外へ汲み出すポンプと、前記分解槽内に貯まった前記炭酸ガスを取り出す炭酸ガス取出管と、を備えていることを特徴とする。
【００１０】
また、本発明は、前記ジェットバスシステムにおいて、前記ハイドレート分解装置により生成された炭酸水を浴槽内、浴室内、前記浴槽に設けられた吸水口と吐出口との間に位置する追い焚き循環路内の少なくとも何れか一つに供給してこれらを洗浄する構成を備え、前記気泡水噴射機構は、前記ハイドレート分解装置から汲み出された炭酸水を前記追い焚き循環路に供給する炭酸水供給管と、該炭酸水供給管内に周囲の空気を取り込むエゼクターと、前記吸水口から前記追い焚き循環路内に浴水を吸引することにより該浴水に前記炭酸水を混合した気泡水を前記吐出口から吐出させる循環用ポンプと、を少なくとも備えており、前記循環用ポンプにより、前記気泡水を、前記追い焚き循環路、前記吐出口、前記浴槽、前記吸水口の順序で循環させることにより前記洗浄を行うことを特徴とする。
【発明の効果】
【００１１】
本発明のジェットバスシステムでは、浴槽内に酸素を含んだ浴水を噴射させ、入浴者の精神的及び肉体的な健康を増進することができる。また、必要に応じて噴射する浴水中の酸素濃度を調整することができる。更に、酸素ハイドレートに由来する高い圧力を持つ水を用いて浴槽内、浴室内、浴水循環路内などを洗浄することができ、省エネルギー化を実現しながら効率的な洗浄を行うことができる。
また、酸素に代えて、浴槽内に炭酸ガスを含んだ浴水を噴射させて入浴者の血行を促進する等、健康を増進することができる。
【００１２】
酸素発生装置においては、装置を作動させるための電気料金の他に、別途浴水を得るために水道料金などのコストがかかるが、本発明においては電気料金、水道料金を低減することができる分だけランニングコストを低く抑えることが可能となる。また、酸素発生装置は運転中に騒音が発生するが、本発明の装置は発生する音が小さい。
【００１３】
また、酸素発生装置は高圧の酸素を封入したボンベを使用した高圧のガス設備となるが、ハイドレート分解装置により分解されたハイドレートは酸素ボンベの場合ほど高圧とはならないため、装置の管理、取扱が容易である。
【発明を実施するための最良の形態】
【００１４】
以下、本発明を図面に示した実施の形態により詳細に説明する。
《第１の実施形態》
図１は本発明の第１の実施形態に係るジェットバスシステムの概略構成図である。
この図に示すジェットバスシステム１は、酸素ハイドレート２を貯留するハイドレートタンク３と、ハイドレートタンク３から供給される酸素ハイドレート２を加熱する（常温中に置くことを含む）ことにより分解して高い圧力を持つ酸素４及び水５を生成するハイドレート分解装置６と、ハイドレート分解装置６により生成された酸素４を浴槽７に供給する酸素供給管（気泡水噴射機構）８と、ハイドレート分解装置６により生成された水（酸素水）５を洗浄水として勢い良く噴射して追い焚き循環路、浴槽７内などを洗浄する給水管９と、を備えている。ハイドレートタンク３に貯留されている酸素ハイドレート２をハイドレート分解装置６に供給し、分解装置６にて生成された高い圧力を持つ酸素４を浴槽７内に供給することにより浴水中に気泡を発生させる。また、分解処理で生成された高い圧力を持つ水を洗浄水として勢い良く噴射して追い焚き循環路、浴槽内などを洗浄させる。
ハイドレートタンク３は断熱性を有する材料により構成され、必要に応じてハイドレート２の分解を防止するための冷却手段（温度調整手段）を設ける。
【００１５】
ハイドレート分解装置６は、図２に示す如く密閉された筒状容器によって構成される分解槽１０と、分解槽１０内を上下に仕切るように配置されてハイドレートタンク３から供給される酸素ハイドレート２を載置する網１１と、分解槽１０内の上部から温水（或いは常温水）１２を散水することにより網１１上に載置されている酸素ハイドレート２を分解させて高い圧力を持つ水（分解水＝高濃度酸素水）５と酸素４とに分離させる散水管１３と、分解槽１０内の下部に貯まった高い圧力の水（分解水）５を取り出して図１に示した給水管９に供給し、これを洗浄水として噴射させる水取出管１４と、水取出管１４に連結されて分解槽１０内の下部に貯まった水（分解水）５を汲み出すポンプ１５と、ポンプ１５によって汲み出された水５を加熱して温水１２にする熱交換器１６と、分解槽１０内の上部に貯まった高い圧力の酸素４を取り出して酸素供給管８に供給し、浴槽７内の浴水中に供給する酸素取出管（図４の実施形態では炭酸ガス取出管）１７と、を備えている。
【００１６】
なお、分解処理開始に先だって分解槽１０内に予め水道水等を充填しておき、稼動初期にはこの水道水等をポンプ１５により汲み上げて散水管１３からの散水に利用するようにしてもよい。
なお、散水管１３から分解槽１０内に浴槽中の浴水を供給して酸素ハイドレート２を分解するように構成してもよい。
熱交換器１６によって加温された温水１２は、ポンプ１５の吐出力により散水管１３から分解槽１０内に噴射される。
【００１７】
ハイドレートタンク３から供給された酸素ハイドレート２を分解槽１０内の網１１上に載置した状態で図示しない操作スイッチを操作することにより、ポンプ１５、熱交換器１６を動作開始させて酸素と水を生成開始する。分解処理開始に先だって外気温による自然分解によって分解槽１０内の下部に貯まった水５（或いは、事前に充填しておいた水道水）をポンプ１５により汲み出し、熱交換器１６により加熱した後、温水１２として散水管１３から分解槽１０内に散水して酸素ハイドレート２の分解を促進させるとともに、酸素取出管１７→酸素供給管８→浴槽７という経路を経て、分解槽１０内の上部に貯まった高い圧力を持つ酸素４を浴槽７内の浴水中に供給して浴水中に気泡を発生させる。また、この動作とは別に、水取出管１４を介して分解処理により得られた高い圧力を持つ水５を取り出すとともに、供給管９を介して噴射する水により追い焚き循環路、浴槽内などを洗浄することもできる。
【００１８】
このように、この実施形態では、ハイドレートタンク３に貯留されている酸素ハイドレート２をハイドレート分解装置６に供給して分解させながら、分解処理で生成された高い圧力を持つ酸素４を浴槽７内に供給し、浴水内に気泡を発生させるようにしているので、酸素発生装置などの高価な装置を不要にして、システム全体のコスト、及びランニングコストを低く抑えながら、浴槽７内の浴水中に酸素４を噴射して入浴者の健康増進を図ることができる。また、ジェットバス本来のマッサージ効果に加えて、酸素を吸引することによる精神面、身体面の健康を増進することができる。
【００１９】
また、この実施形態では、分解処理で生成された高い圧力を持つ高濃度酸素水５を洗浄水として勢い良く噴射させて、追い焚き循環路、浴槽７内などを洗浄させるようにしているので、浴槽７内、浴室内、浴水循環路内などを効率良く洗浄することができる。特に噴射される水中には酸素が溶けているため、一部の酸素が強い酸化力を有した活性酸素に変化して汚れの洗浄効果を高めることができる。なお、噴射される水の温度が低い場合には必要に応じて熱交換器１６によって加熱することにより洗浄効果を高めることができる。
【００２０】
《第２の実施形態》
図３は本発明の第２の実施形態に係るジェットバスシステムの概略構成図である。
この図に示すジェットバスシステム２１は、酸素ハイドレート２２を貯留するための保温性を有したハイドレートタンク２３と、ハイドレートタンク２３から供給された酸素ハイドレート２２を受入れて分解し、高い圧力を持つ酸素２４と水（酸素水）２５とを生成するハイドレート分解装置２６と、ハイドレート分解装置２６により生成された酸素２４を取り込み混合部２７に導く酸素供給管２８と、酸素供給管２８の途中に接続されてハイドレート分解装置２６から酸素供給管２８内に酸素２４を高速で吐出させるときに生じる負圧を利用して周囲の空気を吸い込むことにより酸素２４と混合させるエゼクター（気泡水噴射機構）２９と、浴槽３０に設けられた吸水口３１から浴水３２を吸引することにより混合部２７において酸素２４を含む空気を混合させる循環用ポンプ（気泡水噴射機構）３４と、循環用ポンプ３４と吐出口３３との間に配置されて循環用ポンプ３４から供給される酸素及び空気を含む浴水３２を加温することにより酸素、空気を含む温水３６を生成する熱交換器３５と、ハイドレート分解装置２６から延びて吸水口３１、及び追い焚き循環路と連通することにより水２５を供給する水供給管３７と、水供給管３７の途中に介挿された電磁弁３７ａと、を備えている。
【００２１】
循環用ポンプ３４はその吐出力により、吐出口３３から浴槽３０内に、熱交換器３５によって加熱された温水３６を噴射させることができる。
浴槽３０中に浴水が残っている状態、或いは浴槽３０内が空になった状態で、図示しない操作スイッチを操作して電磁弁３７ａを開放することにより、ハイドレート分解装置２６から水供給管３７を経由して排出されてくる水２５を、混合部２７→循環用ポンプ３４→熱交換器３５→吐出口３３という経路（追い焚き循環路）中に吐出させて追い焚き循環路を高圧洗浄することができる。また、これと同時に吸水口３１にも水が噴射されることにより、吸水口３１までの管体内、及び空の状態にある浴槽内を噴射水により高圧洗浄することができる。
【００２２】
本実施形態においては、ハイドレートタンク２３から供給された酸素ハイドレート２２をハイドレート分解装置２６によって分解することにより生成された高い圧力を持つ酸素２４によって生じる酸素供給管２８内の負圧を利用してエゼクター２９を動作させて、周囲の空気を酸素供給管２８内に吸引させる。それと並行して循環用ポンプ３４によって浴槽３０の吸入口３１から浴水３２を吸引することにより、混合部２７において浴水３２中に酸素、空気を混合させ、人体に害を及ぼさない３５％以下、例えば２０〜３０％程度の酸素２４を含ませる。その後、熱交換器３５によって加熱して浴水に適した快適な温度の温水３６とし、吐出口３３から浴槽３０内の浴水３２中に気泡と共に勢い良く噴射させる。この時に噴射される気泡を含んだ浴水によりジェットバス浴を行うことができる。
【００２３】
この後、排水口３０ａから浴水３２を排水して浴槽を空にした状態で電磁弁３７ａをオン状態にすることにより、ハイドレート分解装置２６から排出される高い圧力を持つ水２５を吸水口３１と混合部２７との間の管体内に吐出させて、追い焚き循環路や浴槽内を高圧洗浄することができる。
なお、エゼクター２９は浴水中に混合する酸素濃度を調整する手段であるが、必須の構成要件ではなく、酸素供給管２８中に図示しない弁を配置することにより酸素供給量を調整することにより酸素濃度を調整するように構成してもよい。
【００２４】
以上のようにこの実施形態では、ハイドレート分解装置２６内における分解処理によって生成された高い圧力を持つ酸素２４によって生じた負圧を利用してエゼクター２９を動作させて、周囲の空気を酸素供給管２８内に吸引するとともに、循環用ポンプ３４によって浴槽３０の吸入口３１から浴水３２を吸引し、混合部２７において浴水に酸素、空気を混合し、吐出口３３から浴槽３０内の浴水３２中に勢い良く噴射させるようにしているので、酸素発生装置などの高価な装置を不要にしてシステム全体のコストを低く抑えるとともに、高価な酸素を購入しないことによるランニングコスト低減を図りながら、浴槽３０内に適切な濃度の酸素２４を含んだ浴水３２をジェットバスとして噴射させ、入浴者の精神面、及び肉体面の健康を増進することができる。
【００２５】
また、この実施形態では、浴槽３０内から浴水３２が排出された空の状態で、電磁弁３７ａを開放することにより、追い焚き循環路を構成する管体内や浴槽内を高圧洗浄することができる。或いは、浴槽中に浴水が満たされた状態で電磁弁３７ａを開放することにより追い焚き循環路を構成する管体内や浴槽内を高圧洗浄するようにしてもよい。
【００２６】
《第３の実施形態》
図４は本発明によるジェットバスシステムの第３の実施形態を示す概略構成図である。
この図に示すジェットバスシステム４１が上記実施形態と異なる点は、酸素ハイドレートに代えて炭酸ハイドレート４２を使用している点にある。
このジェットバスシステム４１は、炭酸ハイドレート４２を貯留するハイドレートタンク４３と、ハイドレートタンク４３から供給された炭酸ハイドレート４２を受入れて分解処理することにより高い圧力を持つ炭酸ガスと、炭酸ガスが溶解した水（炭酸水）４４を生成するハイドレート分解装置４５と、ハイドレート分解装置４５により生成された炭酸水４４を取り込んで混合部（気泡水噴射機構）４６に導く炭酸水供給管４７と、浴槽４８に設けられた吸水口４９から浴水５０を吸い込み、混合部４６において炭酸水４４と混合させる循環用ポンプ（気泡水噴射機構）５２と、循環用ポンプ５２と吐出口５１との間に配置され、循環用ポンプ５２から供給される炭酸水４４が混合された浴水５０を加熱して温水５４を生成する熱交換器５３と、を備えている。
【００２７】
炭酸ハイドレート４２をハイドレート分解装置４５により分解することにより高い圧力を持ち且つ炭酸ガスを豊富に含んだ炭酸水４４を生成すると同時に、循環用ポンプ５２によって浴槽４８の吸入口４９から管体内に浴水５０を吸い込み、混合部４６において炭酸水４４と混合させるとともに、熱交換器５３で入浴者にとって快適な温度まで昇温させた後、吐出口５１から浴槽４８内に気泡と共に勢い良く噴射させる。
このように、この実施形態に係るジェットバスシステムでは、高価な炭酸ガス発生装置等を導入しないことによりシステム全体のコストを低く抑えると共に、高価な炭酸ガスを購入しないことによるランニングコストの低減を図りながら、浴槽４８内に炭酸ガスを含んだ浴水５０を噴射して入浴者の血行促進による健康増進を図ることができる。
【００２８】
この実施形態においても、図３に示した如きエゼクターを炭素水供給管４７に接続する等の手法により、浴槽内から取り込んだ浴水とハイドレート分解装置が生成した炭酸ガスと周囲から取り込んだ空気とを混合して炭酸ガス濃度を調整した浴水を生成し、浴槽内に噴射するようにしてもよい。即ち、ハイドレート分解装置４５により生成された炭酸ガスを吸入口４９に直結した図示しない管体によって浴槽内の浴水中に噴出することによりジェットバスを構築したり、図３の実施形態のようにハイドレート分解装置４から排出されてきた炭酸ガスを濃度調整してから浴水に混合し、浴槽内に気泡と共に噴射させるようにしてもよい。
また、炭酸水を噴射することにより管体内、浴槽内を洗浄するようにしてもよい。
【００２９】
なお、上記の各実施形態では、浴水中に酸素、炭酸ガスなどの有用な気体を混合した水を浴槽中に気泡と共に供給する例を示したが、ハイドレート分解装置により生成された気体だけを浴槽内の浴水中に直接噴射するように配管を構成してもよい。この場合は気泡水噴射装置に代えて気泡噴射機構を使用することとなる。
【図面の簡単な説明】
【００３０】
【図１】本発明の第１の実施形態によるジェットバスシステムの概略構成図である。
【図２】図１に示すハイドレート分解装置の詳細な内容を示す構成図である。
【図３】本発明の第２の実施形態によるジェットバスシステムの概略構成図である。
【図４】本発明の第３の実施形態によるジェットバスシステムの概略構成図である。
【符号の説明】
【００３１】
１：ジェットバスシステム、２：酸素ハイドレート、３：ハイドレートタンク、４：酸素、５：水、６：ハイドレート分解装置、７：浴槽、８：酸素供給管（気泡水噴射機構）、９：給水管、１０：分解槽、１１：網、１２：温水、１３：散水管、１４：水取出管、１５：ポンプ、１６：熱交換器、１７：酸素取出管（炭酸ガス取出管）、２１：ジェットバスシステム、２３：ハイドレートタンク、２４：酸素、２５：水、２６：ハイドレート分解装置、２７：混合部（気泡水噴射機構）、２８：酸素供給管、２９：エゼクター（気泡水噴射機構）、３０：浴槽、３１：吸水口、３２：浴水、３３：吐出口、３４：循環用ポンプ（気泡水噴射機構）、３５：熱交換器、３６：温水、３７：水供給管、３７ａ：電磁弁、４１：ジェットバスシステム、４２：炭酸ハイドレート、４３：ハイドレートタンク、４４：炭酸水、４５：ハイドレート分解装置、４６：混合部（気泡水噴射機構）、４７：炭酸水供給管、４８：浴槽、４９：吸水口、５０：浴水、５１：吐出口、５２：循環用ポンプ（気泡水噴射機構）、５３：熱交換器
【図１】
0004753776.tif 000002
【図２】
0004753776.tif 000003
【図３】
0004753776.tif 000004
【図４】
0004753776.tif 000005